(57)【要約】      （修正有）【課題】任意のクッションを任意の椅子の背もたれに取り付け可能な取付具及びクッション取付体を提供する。【解決手段】クッションを椅子Ｃの背もたれＢに取り付けるための取付具１である。背もたれＢの上面Ｂ１を跨ぐように背もたれＢに載せられる帯状部材２と、帯状部材２の長手方向の端部に設けられ、かつ、クッションを支持するための支持部材３とを含んでいる。帯状部材２は、背もたれＢに載せられたときに少なくとも一部が背もたれＢに接触する第１面を含んでいる。第１面は、背もたれＢに対する相対移動を抑止するための滑り止め手段を有している。【選択図】図２
0003223810.tif 000002
【実用新案登録請求の範囲】
【請求項１】
クッションを椅子の背もたれに取り付けるための取付具であって、
前記背もたれの上面を跨ぐように前記背もたれに載せられる帯状部材と、前記帯状部材の長手方向の端部に設けられ、かつ、前記クッションを支持するための支持部材とを含み、
前記帯状部材は、前記背もたれに載せられたときに少なくとも一部が前記背もたれに接触する第１面を含み、
前記第１面は、前記背もたれに対する相対移動を抑止するための滑り止め手段を有する、
取付具。
【請求項２】
前記帯状部材は、布材で形成され、
前記滑り止め手段は、この布材に設けられた複数の樹脂製の突部を含む、請求項１に記載の取付具。
【請求項３】
前記帯状部材の長手方向において、前記支持部材の反対側の端部に設けられ、かつ、前記支持部材の反対側の前記帯状部材を前記背もたれに沿って保持するための保持部材をさらに含む、請求項１又は２に記載の取付具。
【請求項４】
前記保持部材は、伸縮性を有する保持帯部を含む、請求項３に記載の取付具。
【請求項５】
前記保持帯部は、前記帯状部材の幅方向の中央部分で、前記帯状部材に固着される、請求項４に記載の取付具。
【請求項６】
前記支持部材は、布材で形成される、請求項１ないし５のいずれか１項に記載の取付具。
【請求項７】
前記支持部材は、前記クッションの一部を支持可能な複数の支持部を含む、請求項１ないし６のいずれか１項に記載の取付具。
【請求項８】
前記支持部は、前記帯状部材が前記背もたれに載せられたときに上方に位置する第１支持部と下方に位置する第２支持部とを含み、
前記第１支持部は、弾性を有するゴム生地から形成され、
前記第２支持部は、前記帯状部材と同一の布材から形成される、請求項７に記載の取付具。
【請求項９】
前記支持部材は、矩形状の支持本体を含み、
前記支持部は、前記支持本体の各角部に対して対面状に配され、
前記支持本体の前記角部と前記支持部とが、前記クッションの一部が挿入されるポケット部を形成している、請求項７又は８に記載の取付具。
【請求項１０】
請求項１ないし９のいずれか１項に記載の取付具と、前記支持部材に支持された前記クッションとを含む、
クッション取付体。
【請求項１１】
前記クッションは、マッサージ機構を有する、請求項１０に記載のクッション取付体。
【考案の詳細な説明】
【技術分野】
【０００１】
本考案は、椅子の背もたれにクッションを取り付けるための取付具及びクッション取付体に関する。
【背景技術】
【０００２】
従来、椅子の背もたれにクッションを取り付けて使用するものが知られている。例えば、下記特許文献１には、背もたれ部に設けられた台座にクッションを取り付けることができる椅子が提案されている。
【先行技術文献】
【特許文献】
【０００３】
【特許文献１】特開２０１７−１７６４５４号公報
【考案の概要】
【考案が解決しようとする課題】
【０００４】
しかしながら、特許文献１の椅子は、椅子と台座が一体化された専用品であり、異なる任意の椅子に異なる任意のクッションを取り付けたいという要望があった。
【０００５】
本考案は、以上のような実状に鑑み案出されたもので、任意のクッションを任意の椅子の背もたれに取り付け可能な取付具及びクッション取付体を提供することを主たる目的としている。
【課題を解決するための手段】
【０００６】
本考案は、クッションを椅子の背もたれに取り付けるための取付具であって、前記背もたれの上面を跨ぐように前記背もたれに載せられる帯状部材と、前記帯状部材の長手方向の端部に設けられ、かつ、前記クッションを支持するための支持部材とを含み、前記帯状部材は、前記背もたれに載せられたときに少なくとも一部が前記背もたれに接触する第１面を含み、前記第１面は、前記背もたれに対する相対移動を抑止するための滑り止め手段を有することを特徴とする。
【０００７】
本考案に係る取付具において、前記帯状部材は、布材で形成され、前記滑り止め手段は、前記布材に設けられた複数の樹脂製の突部を含むのが望ましい。
【０００８】
本考案に係る取付具において、前記帯状部材の長手方向において、前記支持部材の反対側の端部に設けられ、かつ、前記支持部材の反対側の前記帯状部材を前記背もたれに沿って保持するための保持部材をさらに含むのが望ましい。
【０００９】
本考案に係る取付具において、前記保持部材は、伸縮性を有する保持帯部を含むのが望ましい。
【００１０】
本考案に係る取付具において、前記保持帯部は、前記帯状部材の幅方向の中央部分で、前記帯状部材に固着されるのが望ましい。
【００１１】
本考案に係る取付具において、前記支持部材は、布材で形成されるのが望ましい。
【００１２】
本考案に係る取付具において、前記支持部材は、前記クッションの一部を支持可能な複数の支持部を含むのが望ましい。
【００１３】
本考案に係る取付具において、前記支持部は、前記帯状部材が前記背もたれに載せられたときに上方に位置する第１支持部と下方に位置する第２支持部とを含み、前記第１支持部は、弾性を有するゴム生地から形成され、前記第２支持部は、前記帯状部材と同一の布材から形成されるのが望ましい。
【００１４】
本考案に係る取付具において、前記支持部材は、矩形状の支持本体を含み、前記支持部は、前記支持本体の各角部に対して対面状に配され、前記支持本体の前記角部と前記支持部とが、前記クッションの一部が挿入されるポケット部を形成しているのが望ましい。
【００１５】
本考案は、上述の取付具と、前記支持部材に支持された前記クッションとを含む、クッション取付体であることを特徴とする。
【００１６】
本考案に係るクッション取付体において、前記クッションは、マッサージ機構を有するのが望ましい。
【考案の効果】
【００１７】
本考案の取付具は、背もたれの上面を跨ぐように前記背もたれに載せられる帯状部材と、前記帯状部材の長手方向の端部に設けられ、かつ、クッションを支持するための支持部材とを含んでいる。このような取付具は、任意のクッションを任意の椅子の背もたれに取り付けることができ、異なるクッションへの変更も容易である。
【００１８】
本考案の取付具において、帯状部材は、背もたれに載せられたときに少なくとも一部が前記背もたれに接触する第１面を含み、前記第１面は、前記背もたれに対する相対移動を抑止するための滑り止め手段を有している。このような取付具は、帯状部材を背もたれに載せることで背もたれの任意の位置に固定することができ、クッションを背もたれの任意の高さに取り付けることができる。
【図面の簡単な説明】
【００１９】
【図１】本考案のクッション取付体の一実施形態を示す側面図である。
【図２】椅子に取り付けられた取付具の斜視図である。
【図３】取付具の第１面側から見た平面図である。
【図４】取付具の第２面側から見た平面図である。
【図５】高さを変更したクッション取付体の側面図である。
【図６】第２の実施形態の取付具の後方側斜視図である。
【図７】第３の実施形態の取付具の平面図である。
【図８】図７のＡ−Ａ線の断面図である。
【考案を実施するための形態】
【００２０】
以下、本考案の実施の一形態が図面に基づき説明される。
図１は、本実施形態のクッション取付体１０の側面図である。図１に示されるように、本実施形態のクッション取付体１０は、クッション１１と、椅子Ｃの背もたれＢにクッション１１を取り付けるための取付具１とを含んでいる。このようなクッション取付体１０は、クッション１１を背もたれＢの任意の高さに取り付けることができる。
【００２１】
クッション１１は、例えば、内部に柔らかい素材が詰められたものであり、さらにマッサージ機構を有していてもよい。マッサージ機構は、例えば、電動でもみ玉を駆動するものやエアバッグ式のもの、弾性体によりツボを刺激するもの等、周知の種々のものが採用され得る。
【００２２】
図２は、椅子Ｃに取り付けられた取付具１の斜視図である。図１及び図２に示されるように、取付具１は、背もたれＢの上面Ｂ１を跨ぐように背もたれＢに載せられる帯状部材２と、クッション１１を支持するための支持部材３とを含むのが望ましい。本実施形態の支持部材３は、帯状部材２の長手方向の一方の端部２ｅに設けられている。このような取付具１は、任意のクッション１１を任意の椅子Ｃの背もたれＢに取り付けることができ、異なるクッション１１への変更も容易である。
【００２３】
帯状部材２は、例えば、背もたれＢに載せられたときに少なくとも一部が背もたれＢに接触する裏面である第１面２ａと、第１面２ａの反対側のおもて面である第２面２ｂとを含んでいる。裏面である第１面２ａは、背もたれＢに対する相対移動を抑止するための滑り止め手段４（図３に示す）を有している。このような取付具１は、帯状部材２を背もたれＢに載せることで背もたれＢの任意の位置に固定することができ、クッション１１を背もたれＢの任意の高さに取り付けることができる。
【００２４】
より好ましい態様として、取付具１は、帯状部材２の長手方向において、支持部材３の反対側の帯状部材２を背もたれＢに沿って保持するための保持部材５を含んでいる。保持部材５は、帯状部材２の長手方向において、支持部材３が配された帯状部材２の部位の反対側の帯状部材２の部位を、背もたれＢに沿って保持するのが望ましい。本実施形態の保持部材５は、背もたれＢの上面Ｂ１を跨いで背もたれＢに載せた姿勢において、背もたれＢの後面と対面状に配される帯状部材２の部位を、背もたれＢに沿って保持している。
【００２５】
本実施形態の保持部材５は、帯状部材２の長手方向において、支持部材３の反対側の他方の端部２ｆに設けられている。このような保持部材５は、第１面２ａと背もたれＢとの摩擦抵抗を大きくし、重いクッション１１を使用したときにも相対移動することなく、クッション１１を背もたれＢの任意の高さに取り付けることに役立つ。
【００２６】
図３は、取付具１の裏面である第１面２ａ側から見た展開状態の平面図であり、図４は、取付具１のおもて面である第２面２ｂ側から見た展開状態の平面図である。図１ないし図４に示されるように、本実施形態の保持部材５は、伸縮性を有する保持帯部５ａを含んでいる。保持帯部５ａは、Ｃ字状又は環状に配されるのが望ましい。保持帯部５ａは、例えば、ゴムバンドから形成されている。このような保持部材５は、種々の背もたれＢの形状に適合することが可能であり、任意の椅子Ｃの背もたれＢに取り付けることができる。
【００２７】
図３に示されるように、保持帯部５ａは、その両端部が、帯状部材２の幅方向の中央部分２ｃで帯状部材２に固着されるのが望ましい。本実施形態の保持帯部５ａの両端部は、帯状部材２の幅方向の中央部分２ｃで帯状部材２に縫着されている。このような保持帯部５ａは、伸縮する長さが大きく、適合する背もたれＢの範囲を広げることができる。また、この保持帯部５ａは、帯状部材２への固着が容易であり、製造コストを低減することに役立つ。
【００２８】
図１ないし図４に示されるように、帯状部材２は、例えば、布材で形成されている。本実施形態の帯状部材２は、第１面２ａが滑り止め手段４を有する生地から形成され、第２面２ｂがメッシュ生地から形成されている。
【００２９】
このような帯状部材２は、種々の背もたれＢの形状に適合することが可能であり、任意の椅子Ｃの背もたれＢに載せることができる。また、この帯状部材２は、背もたれＢに載せられた状態で使用者と接触する可能性のある第２面２ｂがメッシュ生地であるので、使用時の触感及び外観の美的効果を向上させることができる。
【００３０】
図３に示されるように、滑り止め手段４は、布材に設けられた複数の樹脂製の突部４ａを含むのが望ましい。突部４ａは、例えば、シリコンで形成されている。このような滑り止め手段４は、比較的安価な構成で高い滑り止め効果を発揮することができる。
【００３１】
図１ないし図４に示されるように、支持部材３は、例えば、布材から形成されている。本実施形態の支持部材３は、少なくとも一部が帯状部材２と同一の布材から形成されている。このような支持部材３は、種々のクッション１１の形状に適合するので、任意のクッション１１を支持することができる。また、このような支持部材３を含む取付具１は、クッション１１を使用しないときにも背もたれＢに載せた状態で椅子Ｃを使用することができる。
【００３２】
支持部材３は、クッション取付体１０が椅子Ｃに取り付けられたときの上下方向の略中央部分が帯状部材２に連結されている。このような支持部材３は、背もたれＢの高さよりも高い位置にクッション１１を支持することができる。
【００３３】
支持部材３は、クッション１１の平面形状に対して略同一形状の支持本体３ａと、クッション１１の一部を支持可能な複数の支持部３ｂとを含むのが望ましい。支持本体３ａは、例えば、クッション取付体１０が椅子Ｃに取り付けられたときに、クッション１１と背もたれＢとの間に位置している。支持部３ｂは、例えば、クッション取付体１０を使用するときに、使用者側からクッション１１を支持している。
【００３４】
本実施形態の支持部材３は、四角形状である略矩形状のクッション１１に対して略同一形状の略矩形状の支持本体３ａと、クッション１１の４つの角部を支持可能な４つの支持部３ｂとを含んでいる。このような支持部材３は、クッション１１を使用者に直接接触させつつ、クッション１１を確実に支持することができる。
【００３５】
支持本体３ａは、例えば、クッション１１に接触する側の面が、メッシュ生地から形成されている。本実施形態の支持本体３ａの背もたれＢに接触する側の面は、取付具１が椅子Ｃに取り付けられた状態において、帯状部材２が連結された部分よりも上方側がメッシュ生地から形成され、下方側が滑り止め手段４を有する生地から形成されている。
【００３６】
このような支持本体３ａは、クッション１１を装着していない状態で背もたれＢに取り付けられたときに、帯状部材２が連結された部分よりも上方側が下方に折り畳まれても、触感及び外観の美的効果が悪化するおそれがない。また、この支持本体３ａは、下方側に滑り止め手段４を有しているので、使用者からクッション１１に外的負荷が生じたとしてもクッション１１の動きを抑制することができる。
【００３７】
各支持部３ｂは、例えば、三角形状に形成され、略矩形状の支持本体３ａの各角部に対して対面状に配されている。支持本体３ａの各角部と各支持部３ｂとは、支持本体３ａの中央側へ開口する三角形状のポケット部６を形成するのが望ましい。本実施形態では、支持本体３ａの４つの角部と４つの支持部３ｂとにより、４つのポケット部６が形成されている。このようなポケット部６は、略矩形状のクッション１１の一部である各角部が挿入され、クッション１１の４つの角部を確実に保持することができる。また、このようなポケット部６を含む支持部材３は、クッション１１の着脱が容易である。
【００３８】
４つの支持部３ｂは、例えば、クッション１１の一つの辺に沿って配された一対の第１支持部３ｃと、それに対向する辺に沿って配された一対の第２支持部３ｄとを含んでいる。本実施形態の第１支持部３ｃは、帯状部材２を椅子Ｃの背もたれＢに載せた状態で、上方に位置する辺に沿って配されている。また、本実施形態の第２支持部３ｄは、帯状部材２を椅子Ｃの背もたれＢに載せた状態で、下方に位置する辺に沿って配されている。
【００３９】
第１支持部３ｃは、例えば、伸縮性を有するゴム生地から形成されている。このような第１支持部３ｃは、引き延ばすことができるので、ポケット部６にクッション１１の角部を容易に挿入させることができる。また、この第１支持部３ｃは、クッション１１の取り外し作業も引き伸ばすことで容易に行うことができる。一方、第１支持部３ｃは、装着後のクッション１１を支持本体３ａ側へ押圧することができる。このため、本実施形態の支持部３ｂは、第１支持部３ｃにより、クッション１１の装着性を向上させると共に、装着後の支持力を向上させることができる。
【００４０】
第２支持部３ｄは、例えば、帯状部材２と同一の布材から形成されている。このような第２支持部３ｄは、クッション１１を装着したときにもその形状が変化することなく、クッション１１を一定の位置に支持することができる。
【００４１】
支持部材３は、例えば、支持本体３ａの少なくとも一部に、挿通孔３ｅを有している。本実施形態の支持部材３は、一対の第２支持部３ｄのそれぞれに対応する位置に、挿通孔３ｅを有している。挿通孔３ｅは、クッション１１が電動式であった場合の電源コードを挿通させるのに適している。このような支持部材３は、電動式のクッション１１を確実に支持することができる。
【００４２】
次に、本実施形態のクッション取付体１０の使用方法が説明される。
図２に示されるように、本実施形態のクッション取付体１０は、まず、取付具１が椅子Ｃの背もたれＢに取り付けられる。取付具１は、保持部材５を背もたれＢに通した状態で、帯状部材２を背もたれＢに載せることで、背もたれＢの任意の高さに取り付けることができる。
【００４３】
クッション取付体１０は、取付具１が背もたれＢに取り付けられた後、クッション１１が支持部材３に装着されるのが望ましい。このようなクッション取付体１０は、背もたれＢへの取り付けが容易であり、その高さの変更も容易に行うことができる。
【００４４】
図５は、高さを変更したクッション取付体１０の側面図である。図１及び図５に示されるように、本実施形態のクッション取付体１０は、背もたれＢに載せられた取付具１と、支持部材３に支持されたクッション１１とを含んでいる。このようなクッション取付体１０は、取付具１が、保持部材５により滑り止め手段４（図３に示す）と背もたれＢとの摩擦抵抗が大きくなっているので、クッション１１を背もたれＢの任意の高さに取り付けることができる。
【００４５】
図５に示されるように、本実施形態のクッション取付体１０は、支持部材３が、帯状部材２に上下方向の略中央部分が帯状部材２に連結されているので、クッション１１の上端を背もたれＢの上面Ｂ１よりも高い位置まで高さ調整することができる。
【００４６】
図６は、第２の実施形態の取付具２１の後方側斜視図である。上述の実施形態と同一の機能を有する構成要素は、同一の符号が付され、その説明が省略される。図６に示されるように、第２の実施形態の取付具２１は、クッション１１（図１に示す）を椅子Ｃの背もたれＢに取り付けるためものである。
【００４７】
取付具２１は、背もたれＢに載せられる帯状部材２と、クッション１１を支持するための支持部材３と、支持部材３の反対側の帯状部材２を背もたれＢに沿って保持するための保持部材２２とを含むのが望ましい。この実施形態の保持部材２２は、非伸縮性の保持帯部２２ａと、保持帯部２２ａの長さを調整するための調整部２２ｂと、保持帯部２２ａを結合するための結合部２２ｃとを含んでいる。調整部２２ｂは、例えば、コキ部として形成されている。結合部２２ｃは、例えば、バックル部として形成されている。
【００４８】
このような保持部材２２は、保持帯部２２ａが非伸縮性であるので、背もたれＢに取り付けられたときの安定性を向上させることができる。また、この保持部材２２は、調整部２２ｂにより、形状の異なる任意の椅子Ｃの背もたれＢに取り付けることができる。さらに、この保持部材２２は、結合部２２ｃにより、背もたれＢへの取り付け作業が容易である。
【００４９】
図７は、第３の実施形態の取付具３１の平面図であり、図８は、図７のＡ−Ａ線の断面図である。上述の実施形態と同一の機能を有する構成要素は、同一の符号が付され、その説明が省略される。図７及び図８に示されるように、第３の実施形態の取付具３１は、クッション１１を椅子Ｃの背もたれＢ（いずれも図１に示す）に取り付けるためものである。
【００５０】
取付具３１は、背もたれＢに載せられる帯状部材３２と、クッション１１を支持するための支持部材３３とを含むのが望ましい。この実施形態の帯状部材３２は、上述の帯状部材２と同様、背もたれＢに接触する裏面である第１面３２ａに滑り止め手段４を有している。このような帯状部材３２は、背もたれＢに載せることで、クッション１１を背もたれＢの任意の高さに取り付けることができる。
【００５１】
支持部材３３は、少なくとも１つのフック状の支持部３３ａを有するのが望ましい。フック状の支持部３３ａは、例えば、Ｊ字状又はＬ字状に形成されている。この実施形態の支持部材３３は、２つの支持部３３ａを有している。このような支持部材３３は、クッション１１を載せるだけで装着することができ、クッション１１の着脱が容易である。
【００５２】
支持部３３ａは、例えば、硬質の樹脂から形成されている。支持部３３ａは、クッション１１の下方側を支持可能な屈曲部を有するのが望ましい。支持部材３３は、例えば、支持部３３ａの周囲が布材で被覆されている。このような支持部材３３は、クッション１１を載せるだけで確実に支持することができる。
【００５３】
この実施形態の帯状部材３２は、長手方向の両端部に幅方向の形状を保持する形状保持部材３４を有している。形状保持部材３４は、例えば、硬質の樹脂又は金属から形成されている。形状保持部材３４は、支持部材３３が連結されている側の第１形状保持部材３４ａと、長手方向でその反対側の第２形状保持部材３４ｂとを含むのが望ましい。このような形状保持部材３４は、帯状部材３２の形状を保持することができ、帯状部材３２の第１面３２ａと背もたれＢとの摩擦抵抗を大きくすることができる。
【００５４】
第１形状保持部材３４ａは、例えば、硬質の樹脂から形成されている。第２形状保持部材３４ｂは、例えば、金属から形成されている。このような形状保持部材３４は、重いクッション１１を使用したときにも相対移動することなく、クッション１１を背もたれＢの任意の高さに取り付けることに役立つ。
【００５５】
以上、本考案の特に好ましい実施形態について詳述したが、本考案は図示の実施形態に限定されることなく、種々の態様に変形して実施し得る。
【００５６】
例えば、図１ないし図６を用いて説明した上述の実施形態は、布状の４つのポケット部６を含む支持部材３の代わりに、図７及び図８を用いて説明したフック状の支持部３３ａを有する支持部材３３を設けてもよい。また、フック状の支持部３３ａは、例えば、１つであってもよい。
【符号の説明】
【００５７】
１    取付具
２    帯状部材
２ａ  第１面
２ｅ  端部
３    支持部材
４    滑り止め手段
１１    クッション
【図１】
0003223810.tif 000003
【図２】
0003223810.tif 000004
【図３】
0003223810.tif 000005
【図４】
0003223810.tif 000006
【図５】
0003223810.tif 000007
【図６】
0003223810.tif 000008
【図７】
0003223810.tif 000009
【図８】
0003223810.tif 000010